(57)【特許請求の範囲】
【請求項１】
構造物の壁板を構成する軽量プレキャストコンクリート製の複数の板体を構造躯体に上下に並べて固定する固定構造において、
前記構造躯体には、上下に並べられた各板体の下端部に対応する位置に、上方に突出する上向き片を有する第１の固定部材が設けられると共に、各板体の上端部に対応する位置に、下方に突出する下向き片を有する第２の固定部材が設けられ、
前記板体には、板体の下端近傍部に取り付けられて前記上向き片に係合する下方に開放状の下向き係合溝を有する第１の固定具と、前記板体の上端近傍部に取り付けられて前記下向き片に係合する上方に開放状の上向き係合溝を有する第２の固定具が設けられ、
前記第１の固定具は、前記板体に取り付けられる基板部と、前記基板部の上下中途部から前記構造躯体側に突出する突出部と、突出部の先端から下方に向けて延在する外板部とを有し、
前記下向き係合溝は前記基板部と外板部とにより形成され、
前記板体の上端が構造躯体に臨む面に前記基板部と同じ厚さのスペーサ板が配置され、
前記上向き係合溝に、前記下向き片と前記スペーサ板が合わされた状態で係合され、
前記第１の固定部材は、互いに直交する二つの片体からなるＬ型アングルにより構成され、一方の片体が構造躯体に水平に取り付けられ、他方の片体が上方に突出され、この上方に突出された片体により前記上向き片が構成され、前記スペーサ板の上部は前記上向き片の下部に合わされる、
ことを特徴とする軽量プレキャストコンクリート製板体の固定構造。
【請求項２】
前記第２の固定部材は、互いに直交する二つの片体からなるＬ型アングルにより構成され、一方の片体が構造躯体に水平に取り付けられ、他方の片体が下方に突出され、この下方に突出された片体により前記下向き片が構成される請求項１記載の軽量プレキャストコンクリート製板体の固定構造。
【請求項３】
上側に位置する板体の下端面と、下側に位置する板体の上端面との間に受け板が配置され、上側に位置する板体の下端面が下側に位置する板体の上端面により前記受け板を介して受け止められ、この受け板と前記スペーサ板とが一体に形成されている請求項１または２記載の軽量プレキャストコンクリート製板体の固定構造。
【請求項４】
上側に位置する板体の下端面と、下側に位置する板体の上端面との間で、前記受け板よりも構造躯体から離れた箇所にシーリング部材が介在されている請求項３記載の軽量プレキャストコンクリート製板体の固定構造。
【請求項５】
前記板体の上端近傍部にフックボルトが取り付けられ、このフックボルトは板体が構造躯体に臨む面から構造躯体側にほぼ水平に突出する軸部と、軸部の先端から屈曲して上方に突出する上向き先端部を有し、前記上向き係合溝は、前記板体が構造躯体に臨む面と前記上向き先端部により形成される請求項１乃至４に何れか１項記載の軽量プレキャストコンクリート製板体の固定構造。
【請求項６】
前記板体はＡＬＣ板である請求項１乃至５に何れか１項記載の軽量プレキャストコンクリート製板体の固定構造。
【発明の詳細な説明】
【０００１】
【発明の属する技術分野】
本発明は軽量プレキャストコンクリート製板体の固定構造に関し、詳細には、建物の外壁材としてＡＬＣカーテンウォールを用いる場合に、このＡＬＣカーテンウォールを建物の構造躯体に固定する場合に好適な固定構造に関するものである。
【０００２】
【従来の技術】
従来より、建物の外壁を構成するＡＬＣ（蒸気養生［オートクレーブ］された軽量コンクリート）カーテンウォールを構造躯体に固定するための構造として、図６に示すような固定構造が用いられている。
この図６に示す例は、建物の各階に設けられたＨ型鋼梁１０に、それぞれ一対のＬ型アングル１２、１４を設け、このＬ型アングル１２、１４に各階の外壁を構成するＡＬＣ板１６を固定するものである。
各ＡＬＣ板１６には、上部と下部に取付け金具（ファスナ）２０、３０が、それぞれ左右に一対ずつ設けられている。
図７は、上下のＡＬＣ板１６Ａ、１６ＢのＬ型アングル１２、１４への固定部分を示す断面図である。
図示のように、下側のＡＬＣ板１６Ｂの上部側のファスナ２０は、下側のＬ型アングル１４に係合するフックボルト２２をＡＬＣ板１６内に貫通させナット２４に螺合させた構造のものである。
そして、フックボルト２２のフック部２２Ａを下側のＬ型アングル１４の先端部に係合させてＡＬＣ板１６を固定する。
【０００３】
一方、上側のＡＬＣ板１６Ａの下部側のファスナ３０は、上側のＬ型アングル１２に係合するイナズマプレート３２をボルト３４およびナット３６によってＡＬＣ板１６に取り付けた構造のものである。
このＡＬＣ板１６Ａの下部側のファスナ３０は、ＡＬＣ板１６の重量を受け止めて支持するものであるため、上部側のファスナ２０に比して頑丈な構造となっている。
イナズマプレート３２は、図８に示すように、基端側にボルト３４の挿通孔３２Ａを有するとともに、中途部に屈曲部３２Ｂを有している。
そして、図７に示すように、イナズマプレート３２の先端部とＡＬＣ板１６の板面との間に、Ｌ型アングル１２の先端部を差し込んで挟持させた構造により、ＡＬＣ板１６とＬ型アングル１２とを固定し、ＡＬＣ板１６を支持するものである。
【０００４】
また、図７において、Ｌ型アングル１２には受け板１８が溶接によって固着されており、上下のＡＬＣ板１６Ａ、１６Ｂの間隙部に進入している。この受け板１８は、上側のＡＬＣ板１６Ａの端面を受け止めて所定の高さ位置に固定するものである。
また、上下のＡＬＣ板１６Ａ、１６Ｂの間隙部の外側にはシーリング部材４０Ａ介在されて水等の浸入が防止され、シーリング部材４０Ａの内側に鉄筋４０Ｂが介在され、さらに、Ｈ型鋼梁１０の上には、床板材４２が設けられている。
【０００５】
【発明が解決しようとする課題】
しかしながら、上述した従来例では、ＡＬＣ板１６の表面とイナズマプレート３２との間にＬ型アングル１２の先端部を差し込む構造であるため、特にＡＬＣ板１６の表面の凹凸等の仕上がり具合によって、Ｌ型アングル１２の先端部がＡＬＣ板１６とイナズマプレート３２との間に深くセットされたり、浅くセットされたりして適正にセットできず、作業効率を低下させていた。
そこで本発明の目的は、板体を構造躯体に簡単にしかも適正に固定することができる板体の固定構造を提供することにある。
【０００６】
【課題を解決するための手段】
前記目的を達成するため本発明は、構造物の壁板を構成する軽量プレキャストコンクリート製の複数の板体を構造躯体に上下に並べて固定する固定構造において、前記構造躯体には、上下に並べられた各板体の下端部に対応する位置に、上方に突出する上向き片を有する第１の固定部材が設けられると共に、各板体の上端部に対応する位置に、下方に突出する下向き片を有する第２の固定部材が設けられ、前記板体には、板体の下端近傍部に取り付けられて前記上向き片に係合する下方に開放状の下向き係合溝を有する第１の固定具と、前記板体の上端近傍部に取り付けられて前記下向き片に係合する上方に開放状の上向き係合溝を有する第２の固定具が設けられ、前記第１の固定具は、前記板体に取り付けられる基板部と、前記基板部の上下中途部から前記構造躯体側に突出する突出部と、突出部の先端から下方に向けて延在する外板部とを有し、前記下向き係合溝は前記基板部と外板部とにより形成され、前記板体の上端が構造躯体に臨む面に前記基板部と同じ厚さのスペーサ板が配置され、前記上向き係合溝に、前記下向き片と前記スペーサ板が合わされた状態で係合され、前記第１の固定部材は、互いに直交する二つの片体からなるＬ型アングルにより構成され、一方の片体が構造躯体に水平に取り付けられ、他方の片体が上方に突出され、この上方に突出された片体により前記上向き片が構成され、前記スペーサ板の上部は前記上向き片の下部に合わされることを特徴とする。
【０００７】
また、本発明は、前記第２の固定部材が、互いに直交する二つの片体からなるＬ型アングルにより構成され、一方の片体が構造躯体に水平に取り付けられ、他方の片体が下方に突出され、この下方に突出された片体により前記下向き片が構成されることを特徴とする。
また、本発明は、上側に位置する板体の下端面と、下側に位置する板体の上端面との間に受け板が配置され、上側に位置する板体の下端面が下側に位置する板体の上端面により前記受け板を介して受け止められ、この受け板と前記スペーサ板とが一体に形成されていることを特徴とする。
また、本発明は、上側に位置する板体の下端面と、下側に位置する板体の上端面との間で、前記受け板よりも構造躯体から離れた箇所にシーリング部材が介在されていることを特徴とする。
また、本発明は、前記板体の上端近傍部にフックボルトが取り付けられ、このフックボルトは板体が構造躯体に臨む面から構造躯体側にほぼ水平に突出する軸部と、軸部の先端から屈曲して上方に突出する上向き先端部を有し、前記上向き係合溝は、前記板体が構造躯体に臨む面と前記上向き先端部により形成されることを特徴とする。
また、本発明は、前記板体がＡＬＣ板であることを特徴とする。
【０００８】
本発明では、構造躯体の上向き片と板体の下向き係合溝が係合し、構造躯体の下向き片と板体の上向き係合溝が係合する。
ここで、下向き係合溝は板体とは別体の第１の固定具の基板部と外板部により形成されている。
また、基板部と同じ厚さのスペーサ板が下向き片に合わされた状態で上向き係合溝に係合し、各板体が適正に同一面上に位置出しされている。
従って、板体の重量を受け止めるために重要な、下向き係合溝と上向き片との係合を、板体の表面の凹凸等の仕上げ具合にかかわらず、均一な係合状態で適正にしかも簡単に行なえる。
【０００９】
【発明の実施の形態】
次に、軽量プレキャストコンクリート製板体としてＡＬＣカーテンウォールを建物の構造躯体に固定するための実施の形態例について説明する。
図１は、本例におけるＡＬＣ板の固定構造を示す断面図であり、図２は、図１に示す固定構造の要部を示す拡大断面図である。
本例は、構造躯体１００のＨ型鋼梁１１０に設けた一対のＬ型アングル１１２、１１４に上下のＡＬＣ板１１６Ａ、１１６Ｂを固定するものである。なお、Ｈ型鋼梁１１０の上には、床板材１４２が設けられ、その内部には鉄筋１４４が配置されている。
そして、上側のＡＬＣ板１１６Ａの下部には、第１の固定部材としての上側のＬ型アングル１１２に係合する第１の固定具としてのファスナ１３０が設けられている。
また、下側のＡＬＣ板１１６Ｂの上部には、第２の固定部材としての下側のＬ型アングル１１４に係合する第２の固定具としてのファスナ１２０が設けられている。
上側のＬ型アングル１１２は、Ｈ型鋼梁１１０の上フランジの上面に取着される片と、この片の先端から屈曲して上方に突出するから上向き片１１２Ａを有し、下側のＬ型アングル１１４は、Ｈ型鋼梁１１０の上フランジの下面に取着される片と、この片の先端から屈曲して下方に突出するから下向き片１１４Ａを有し、上向き片１１２Ａと下向き片１１４Ａが構造躯体１００の外側に臨む面は同一の鉛直面上に位置するように配置されている。
各ファスナ１２０、１３０は、図３に示すように、それぞれＡＬＣ板１１６の左右に一対ずつ設けられている。
【００１０】
そして、ファスナ１２０は、下側のＬ型アングル１１４に係合するフックボルト１２２をＡＬＣ板１１６内に貫通させナット１２４に螺合させた構造のものである。
前記フックボルト１２２は、ＡＬＣ板１１６内を水平に延在しＡＬＣ板１１６の構造躯体１００側の面から突出する軸部１２２Ｂと、この軸部１２２Ｂの先端から屈曲して上方に突出する上向き先端部１２２Ａを有し、ＡＬＣ板１１６が構造躯体１００側に臨む面と、上向き先端部１２２Ａにより上向き係合溝１２３が形成されている。
この上向き係合溝１２３に下側のＬ型アングル１１４の下向き片１１４Ａが係合され、ＡＬＣ板１１６が固定される。
【００１１】
また、ファスナ１３０は、上側のＬ型アングル１１２に係合するイナズマプレート１３２をボルト１３４およびナット１３６によってＡＬＣ板１１６に取り付けた構造のものである。
この下部側のファスナ１３０は、ＡＬＣ板１１６の重量を受け止めて支持するものであるため、上部側のファスナ１２０に比して頑丈な構造となっている。
図４は、イナズマプレート１３２を示す六面図であり、図４（１）が上面図、図４（２）が正面図、図４（３）が右側面図、図４（４）が下面図、図４（５）が背面図、図４（６）は左側面図である。
このイナズマプレート１３２は略ｈ字形に形成され、ＡＬＣ板１１６の板面に装着される基板部１３２Ａと、この基板部１３２Ａの上下中途部から構造躯体１００側に突出する突出部１３２Ｅと、この突出部１３２Ｅの先端から下方に向けて延在する外板部１３２Ｂとを有している。
【００１２】
イナズマプレート１３２の基板部１３２Ａには、ボルト止め用の装着孔１３２Ｃ、１３２Ｄが形成されている。
基板部１３２Ａと外板部１３２Ｂとは、Ｌ型アングル１１２の上向き片１１２Ａの肉厚に対応する間隔をおいて互いに平行に形成され、基板部１３２Ａと外板部１３２Ｂにより下方に開放状の下向き係合溝１３３が形成されている。
したがって、このイナズマプレート１３２では、下向き係合溝１３３にＬ型アングル１１２の上向き片１１２Ａが差し込まれて挟持され、基板部１３２Ａと外板部１３２Ｂの突出部１３２Ｅで受け止めた構造により、強固な係合状態を得るものである。
【００１３】
また、上側のＡＬＣ板１１６Ａの下部と下側のＡＬＣ板１１６Ｂの上部との間には、受け板およびスペーサ板としての断面Ｌ字状の縦壁プレート１１８が介設され、この縦壁プレート１１８は、ＡＬＣ板１１６Ａ、１１６Ｂの構造躯体１００への固定時に、下側のＡＬＣ板１１６Ｂの上部に載せられて用いられるものである。
図５は、縦壁プレート１１８を示す三面図であり、図５（１）が下面図、図５（２）が正面図、図５（３）が側面図である。
図示のように、この縦壁プレート１１８は、受け板１１８Ａとスペーサ板１１８Ｂとを一体に連設して断面Ｌ字状に形成したものである。
受け板１１８Ａは、上述した従来の受け板１８と同様に、上下のＡＬＣ板１１６Ａ、１１６Ｂの間隙部に進入して、上側のＡＬＣ板１１６Ａの端面を受け止めて所定の高さ位置に支持するものである。
この受け板１１８Ａには、上下のＡＬＣ板１１６Ａ、１１６Ｂにわたって埋設される目地鉄筋１５０を挿通する挿通孔１１８Ｃが形成されている。
【００１４】
スペーサ板１１８Ｂは、Ｌ型アングル１１２の上向き片１１２Ａの上下中間部から、Ｌ型アングル１１４の下向き片１１４Ａの全面にわたって合わされる上下長さで形成されている。
そして、このスペーサ板１１８Ｂの肉厚は、イナズマプレート１３２の基板部１３２Ａの肉厚と同一となっている。
このスペーサ板１１８Ｂによって、各ＡＬＣ板１１６Ａ、１１６Ｂが適正に同一面上に位置出しされる。
また、ＡＬＣ板１１６Ａ、１１６Ｂの間隙部で受け板１１８Ａの外側には、シーリング部材１４０Ａが介在され、水等の浸入を防止するようになっており、また、受け板１１８Ａの内側に鉄筋１４０Ｂが介在されている。
【００１５】
次に、以上のような固定構造において、複数のＡＬＣ板１１６を構造躯体１００に上下に並べて固定する場合には、まず、ＡＬＣ板１１６の所定位置にファスナ１２０、１３０、すなわちフックボルト１２２やイナズマプレート１３２を装着する。
次に、下側のＡＬＣ板１１６の上端面に受け板１１８Ａを載せ、下側のＡＬＣ板１１６が構造躯体１００に臨む面にスペーサ板１１８Ｂを合わせて縦壁プレート１１８を配置する。
この場合、下側のＡＬＣ板１１６の上部の構造躯体１００への固定が、スペーサ板１１８Ｂと下向き片１１４Ａが重ね合わされた状態で上向き係合溝１２３に係合されることでなされる。
次に、上側のＡＬＣ板１１６の下部のイナズマプレート１３２を構造躯体１００に設置されたＬ型アングル１１２に装着する。すなわちイナズマプレート１３２の下向き係合溝１３３にＬ型アングル１１２の上向き片１１２Ａを差し込む。
そして、上側のＡＬＣ板１１６の上端面に、前記と同様に、受け板１１８Ａを載せ、ＡＬＣ板１１６が構造躯体１００に臨む面にスペーサ板１１８Ｂを合わせて縦壁プレート１１８を配置し、これによりスペーサ板１１８Ｂと下向き片１１４Ａが重ねられた状態で上向き係合溝に係合し、ＡＬＣ板１１６Ａの上部の固定がなされる。
以後このような作業を繰り返していくことで、複数のＡＬＣ板１１６が上下に並べられ、構造躯体１００に順次設置される。
【００１６】
本実施の形態例では、下向き係合溝１３３は、ＡＬＣ板１１６とは別体のイナズマプレート１３２の基板部１３２Ａと外板部１３２Ｂにより形成されており、かつ、スペーサ板１１８Ｂにより各ＡＬＣ板１１６Ａ、１１６Ｂが適正に同一面上に位置出しされている。
従って、ＡＬＣ板１６の重量を受け止めるために重要な、下向き係合溝１３３と上向き片１１２Ａとの係合を、ＡＬＣ板１１６の表面の凹凸等の仕上げ具合にかかわらず、均一な係合状態で適正にしかも簡単に行なえ、この種の作業効率を格段と高めることが可能となる。
また、実施例では、受け板１１８Ａとスペーサ板１１８Ｂとを一体化した縦壁プレート１１８を設けたので、取り扱いが便利となり、ＡＬＣ板１６の固定作業をより効率良く行なう上で有利となる。
【００１７】
なお、本発明において、受け板１１８Ａとスペーサ板１１８Ｂとを分離して、受け板の機能とスペーサ板の機能とを個別に得るようにしてもよい。
また、実施の形態例ではＡＬＣ板の固定構造に適用した場合ついて説明したが、本発明はこれに限定されるものではなく、他の各種の軽量プレキャストコンクリートキャスト製板体を構造躯体に固定するための固定構造に適用し得ることは勿論である。
【００１８】
【発明の効果】
以上説明したように、本発明による軽量プレキャストコンクリートキャスト製板体の固定構造では、上向き片が係合される下向き係合溝を、板体とは別体の第１の固定具の基板部と外板部により形成し、かつ、前記基板部と同じ厚さのスペーサ板と下向き片とを合わせた状態で上向き係合溝に係合させ、各板体が同一面上に位置出しされるようにした。
従って、板体の重量を受け止めるために重要な、下向き係合溝と上向き片との係合を、板体の表面の仕上げ具合にかかわらず、均一な係合状態で適正にしかも簡単に行なえ、この種の作業効率を格段と高めることが可能となる。
【図面の簡単な説明】
【図１】本発明に係るＡＬＣ板の固定構造の一例を示す断面図である。
【図２】図１に示す固定構造の要部を示す拡大断面図である。
【図３】図１に示すＡＬＣ板のファスナ取付け位置を示す三面図であり、図３（１）が正面図、図３（２）が下面図、図３（３）が側面図である。
【図４】図１に示す固定構造で用いるイナズマプレートの一例を示す六面図であり、図４（１）が上面図、図４（２）が正面図、図４（３）が右側面図、図４（４）が下面図、図４（５）が背面図、図４（６）は左側面図である。
【図５】図１に示す固定構造で用いる縦壁プレートの一例を示す三面図であり、図５（１）が下面図、図５（２）が正面図、図５（３）が側面図である。
【図６】従来のＡＬＣ板の固定構造の概要を示す断面図である。
【図７】図６に示すＡＬＣ板の固定構造の要部を示す拡大断面図である。
【図８】図６に示す固定構造で用いるイナズマプレートの一例を示す三面図であり、図７（１）が上面図、図４（２）が正面図、図４（３）が左側面図である。
【符号の説明】
１００  構造躯体
１１０  Ｈ型鋼梁
１１２Ａ  上向き片
１１４Ａ  下向き片
１１６、１１６Ａ、１１６Ｂ  ＡＬＣ板
１１８  縦壁プレート
１１８Ａ  受け板
１１８Ｂ  スペーサ板
１２２  フックボルト
１２３  上向き係合溝
１３２  イナズマプレート
１３２Ａ  基板部
１３２Ｂ  外板部
１３３  下向き係合溝
【図１】
0003738866.tif 000002
【図２】
0003738866.tif 000003
【図３】
0003738866.tif 000004
【図４】
0003738866.tif 000005
【図５】
0003738866.tif 000006
【図６】
0003738866.tif 000007
【図７】
0003738866.tif 000008
【図８】
0003738866.tif 000009